(57)【要約】【課題】負荷時タップ切換変圧器の不具合が発生したとき、どの電磁接触器に不具合が発生しているのかを安価で簡易に検出できる電磁接触器の接触不良検出装置を提供することである。【解決手段】電磁リレー１４は負荷時タップ切換装置の電動操作機構部内の電磁接触器１３と電動機１２との間に設けられ、電動機１２への印加電圧が所定電圧以上であるとき動作し、タイマリレー１５は電磁接触器１３が動作しかつ電磁リレー１４が不動作のとき所定時限後に動作し、故障表示器１６はタイマリレー１５が動作したとき電磁接触器の接触不良を表示出力し、電磁リレー１４、タイマリレー１５、故障表示器１６は電動操作機構部内に設けられる。【選択図】  図１
2018190907.tif 000002
【特許請求の範囲】
【請求項１】
負荷時タップ切換変圧器のタップ切換器を駆動する電動機に電磁接触器を介して駆動電源を供給する負荷時タップ切換装置の前記電磁接触器の接点の接触不良を検出する電磁接触器の接触不良検出装置において、
負荷時タップ切換装置の電動操作機構部内の前記電磁接触器と前記電動機との間に設けられ前記電動機への印加電圧が所定電圧以上であるときは動作する電磁リレーと、
前記電動操作機構部内に設けられ前記電磁接触器が動作しかつ前記電磁リレーが不動作のとき所定時限後に動作するタイマリレーと、
前記電動操作機構部内に設けられ前記タイマリレーが動作したとき前記電磁接触器の接触不良を表示出力する故障表示器とを備えたことを特徴とする電磁接触器の接触不良検出装置。
【請求項２】
前記電磁リレー、前記タイマリレー、前記故障表示器を一つの収納箱に収納して前記電動操作機構部内に設けるようにしたことを特徴とする請求項１記載の電磁接触器の接触不良検出装置。
【請求項３】
負荷時タップ切換変圧器のタップ切換器を駆動する電動機に電磁接触器を介して駆動電源を供給する負荷時タップ切換装置の前記電磁接触器の接点の接触不良を検出する電磁接触器の接触不良検出装置において、
負荷時タップ切換装置の電動操作機構部内の前記電磁接触器と前記電動機との間に設けられ前記電動機への印加電圧が所定電圧以上であるときは動作する負荷側電磁リレーと、
前記電動操作機構部内に設けられ前記駆動電源と前記電磁接触器との間に前記電磁接触器への印加電圧が所定電圧以上であるときは動作する電源側電磁リレーと、
前記電動操作機構部内に設けられ前記電源側電磁リレー及び前記電磁接触器が動作しかつ前記負荷側電磁リレーが不動作のとき所定時限後に動作するタイマリレーと、
前記電動操作機構部内に設けられ前記タイマリレーが動作したとき前記電磁接触器の接触不良を表示出力する故障表示器とを備えたことを特徴とする電磁接触器の接触不良検出装置。
【請求項４】
前記電源側電磁リレー、前記負荷側電磁リレー、前記タイマリレー、前記故障表示器を一つの収納箱に収納して前記電動操作機構部内に設けるようにしたことを特徴とする請求項３記載の電磁接触器の接触不良検出装置。
【発明の詳細な説明】
【技術分野】
【０００１】
本発明は、負荷時タップ切換変圧器のタップ切換器を駆動する電動機に電磁接触器を介して駆動電源を供給する負荷時タップ切換装置における電磁接触器の接触不良を検出する電磁接触器の接触不良検出装置に関する
【背景技術】
【０００２】
一般に、変圧器の電圧調整は、変圧器の１次側のタップ巻線をタップ切換器により切り換え、変圧器の２次側電圧を調整することにより行われている。例えば、配電系統の負荷が変動すると変圧器の２次側電流が変動し変圧器の２次側電圧が変動する。そこで、変圧器の２次側電圧及び２次側電流を監視し、負荷が大きくなり２次側電流が大きくなると２次側電圧を昇圧するようにタップ切換を行い、一方、負荷が少なくなり２次側電流が小さくなると２次側電圧を降圧するようにタップ切換が行われる。
【０００３】
負荷時タップ切換装置のタップ切換器は、変圧器２次側の電圧電流の監視装置からのタップ切換の操作信号により、変圧器制御盤の制御装置を介して電動機を駆動し、電動機の駆動軸を所定の回転回数だけ回転させることにより行われる。電動機には電磁接触器を開閉操作して駆動電源が入力される。
【０００４】
ここで、負荷時タップ切換変圧器のタップ切替動作の異常を検出するものとして、負荷時タップ切換変圧器のどの箇所に異常が発生しているのかが自動的に判別でき、異常が発生した場合に負荷時タップ切換変圧器の早期復旧を可能としたものがある（例えば、特許文献１参照）。これは、負荷時タップ切換変圧器のタップ切換器を駆動する電動機の駆動トルク、タップ切換器のタップ切換時間、電動機の入力電流、電動機の入力電圧、電動機に電磁接触器を介して電力を供給する駆動電源の電源電圧をそれぞれ検出する各検出器を設け、マイクロプロセッサーを用いて構成された制御装置は、各検出器で検出された状態量の組み合わせによって、タップ切換器、電動機、電磁接触器、駆動電源の異常を判定するとともに、外部からの指令によりタップ切換器のタップ切換を制御するようにしたものである。
【先行技術文献】
【特許文献】
【０００５】
【特許文献１】特開２００６−１２８２３７号公報
【発明の概要】
【発明が解決しようとする課題】
【０００６】
しかし、特許文献１のものでは、タップ切換器、電動機、電磁接触器、駆動電源の異常の判定ができるが、電動機の駆動トルク、タップ切換器のタップ切換時間、電動機の入力電流、電動機の入力電圧、電動機に電磁接触器を介して電力を供給する駆動電源の電源電圧をそれぞれ検出する各検出器、マイクロプロセッサーを用いた制御装置を設置しなければならないので高価となる。また、各検出器や制御装置を設置する制御盤を用意しなければならない。
【０００７】
負荷時タップ切換変圧器の不具合は一過性のものが多く、電磁接触器の不具合が大半を占める。このことから、負荷時タップ切換変圧器の異常表示が発生しても不具合箇所が判然としないことが多いので、まずは、電磁接触器の接触不良を疑い、電磁接触器の接続箇所の相間の電圧変動を監視するようにしている。すなわち、電磁接触器の接続箇所の相間に記録計を取り付けて電圧電流などを監視するが、電磁接触器の接続箇所の相間は狭隘部であるので、記録計を設置することが困難であったり、記録計が高価であるといった問題がある。さらには、記録計での検出にあたり、電圧電流検出の設定や故障の判別に高度な専門知識や技術を要す。
【０００８】
本発明の目的は、負荷時タップ切換変圧器の不具合が発生したとき、どの電磁接触器に不具合が発生しているのかを安価で簡易に検出できる電磁接触器の接触不良検出装置を提供することである。
【課題を解決するための手段】
【０００９】
請求項１の発明に係る電磁接触器の接触不良検出装置は、負荷時タップ切換変圧器のタップ切換器を駆動する電動機に電磁接触器を介して駆動電源を供給する負荷時タップ切換装置の前記電磁接触器の接点の接触不良を検出する電磁接触器の接触不良検出装置において、負荷時タップ切換装置の電動操作機構部内の前記電磁接触器と前記電動機との間に設けられ前記電動機への印加電圧が所定電圧以上であるとき動作する電磁リレーと、前記電動操作機構部内に設けられ前記電磁接触器が動作しかつ前記電磁リレーが不動作のとき所定時限後に動作するタイマリレーと、前記電動操作機構部内に設けられ前記タイマリレーが動作したとき前記電磁接触器の接触不良を表示出力する故障表示器とを備えたことを特徴とする。
【００１０】
請求項２の発明に係る電磁接触器の接触不良検出装置は、請求項１の発明において、前記電磁リレー、前記タイマリレー、前記故障表示器を一つの収納箱に収納して前記電動操作機構部内に設けるようにしたことを特徴とする。
【００１１】
請求項３の発明に係る電磁接触器の接触不良検出装置は、負荷時タップ切換変圧器のタップ切換器を駆動する電動機に電磁接触器を介して駆動電源を供給する負荷時タップ切換装置の前記電磁接触器の接点の接触不良を検出する電磁接触器の接触不良検出装置において、負荷時タップ切換装置の電動操作機構部内の前記電磁接触器と前記電動機との間に設けられ前記電動機への印加電圧が所定電圧以上であるとき動作する負荷側電磁リレーと、前記電動操作機構部内に設けられ前記駆動電源と前記電磁接触器との間に前記電磁接触器への印加電圧が所定電圧以上であるとき動作する電源側電磁リレーと、前記電動操作機構部内に設けられ前記電源側電磁リレー及び前記電磁接触器が動作しかつ前記負荷側電磁リレーが不動作のとき所定時限後に動作するタイマリレーと、前記電動操作機構部内に設けられ前記タイマリレーが動作したとき前記電磁接触器の接触不良を表示出力する故障表示器とを備えたことを特徴とする。
【００１２】
請求項４の発明に係る電磁接触器の接触不良検出装置は、請求項３の発明において、前記電源側電磁リレー、前記負荷側電磁リレー、前記タイマリレー、前記故障表示器を一つの収納箱に収納して前記電動操作機構部内に設けるようにしたことを特徴とする。
【発明の効果】
【００１３】
請求項１の発明によれば、電磁接触器の接触不良検出装置の構成器具である電磁リレー、タイマリレー、故障表示器は、市販の小型の器具を用いることができるので、電動操作機構部内に収納でき、安価に構成できる。また、故障表示器は電磁接触器ごとに設けられるので接触不良の電磁接触器の接触不良を容易に識別できる。
【００１４】
請求項２の発明によれば、電磁リレー、タイマリレー、故障表示器を一つの収納箱に収納するので、電動操作機構部内で電磁接触器の接触不良検出装置を容易に識別できる。
【００１５】
請求項３の発明によれば、電磁接触器の接触不良検出装置の構成器具である電源側電磁リレー、負荷側電磁リレー、タイマリレー、故障表示器は、市販の小型の器具を用いることができるので、電動操作機構部内に収納でき、安価に構成できる。また、故障表示器は電磁接触器ごとに設けられるので接触不良の電磁接触器の接触不良を容易に識別できる。さらには、電源側電磁リレーを設け電磁接触器に電源電圧が印加されていることを確認し電磁接触器の接触不良の検出を行うので、電磁接触器の接触不良検出の精度を高めることができる。
【００１６】
請求項４の発明によれば、電源側電磁リレー、負荷側電磁リレー、タイマリレー、故障表示器を一つの収納箱に収納するので、電動操作機構部内で電磁接触器の接触不良検出装置を容易に識別できる。
【図面の簡単な説明】
【００１７】
【図１】本発明の第１実施の形態に係わる電磁接触器の接触不良検出装置を負荷時タップ切換変圧器のタップ切換器を駆動する電動機の電磁接触器に適用した場合の回路図。
【図２】本発明の第１実施形態に係わる電磁接触器の接触不良検出装置のタイマリレー及び故障表示器の駆動制御回路の回路図。
【図３】本発明の第２実施の形態に係わる電磁接触器の接触不良検出装置を負荷時タップ切換変圧器のタップ切換器を駆動する電動機の電磁接触器に適用した場合の回路図。
【図４】本発明の第２実施形態に係わる電磁接触器の接触不良検出装置のタイマリレー及び故障表示器の駆動制御回路の回路図。
【発明を実施するための形態】
【００１８】
以下、本発明の実施形態を説明する。図１は本発明の第１実施の形態に係わる電磁接触器の接触不良検出装置を負荷時タップ切換変圧器のタップ切換器を駆動する電動機の電磁接触器に適用した場合の回路図である。
【００１９】
負荷時タップ切換変圧器は、図示省略の変圧器本体部、タップ切換器、電動操作機構部からなり、図１に示す２次側配電線１１が変圧器本体部から所内電源として取り出される。変圧器本体部の２次側配電線１１は３相交流電源ＵＶＷであり、図示省略のタップ切換器を駆動する駆動電源となる。
【００２０】
電動操作機構部には、タップ切換器を電動操作する３相の電動機１２、電磁接触器１３Ｒ、１３Ｌが収納され、電動機１２には電磁接触器１３Ｒ、１３Ｌを介して２次側配電線１１から電源が供給される。電磁接触器１３Ｒ、１３Ｌは、図示省略のタップ切替器制御装置により開閉操作されて電動機１３に電源を供給し、電動機１２を所定の回転回数分だけ駆動する。通常、所定の回転回数分はタップ巻線の１タップを切り換えるに必要な電動機１２の駆動量である。電磁接触器１３Ｒは変圧器の２次側電圧の昇圧用の電磁接触器であり、電磁接触器１３Ｌは変圧器の２次側電圧の降圧用の電磁接触器である。すなわち、電磁接触器１３Ｒは３相電動機１２に印加する３相交流電源の相順がＵＶＷであり、電磁接触器１３Ｌは３相電動機１２に印加する３相交流電源の相順をＵＷＶとし、正転方向と相順を入れ替えて回転方向を反転させる。
【００２１】
本発明の実施の形態に係わる電磁接触器の接触不良検出装置は、電磁リレー１４ａ、１４ｂ、１４ｃと、タイマリレー１５ａ、１５ｂと、故障表示器１６ａ、１６ｂとから構成され、これらは電動操作機構部内に設けられる。また、タイマリレー１５ａ、１５ｂ及び故障表示器１６ａ、１６ｂは、電磁接触器１３Ｒ、１３Ｌ及び電磁リレー１４ａ、１４ｂ、１４ｃの動作状況により動作する。駆動制御回路１７は、電磁接触器１３Ｒ、１３Ｌ及び電磁リレー１４ａ、１４ｂ、１４ｃの動作状態に応じてタイマリレー１５ａ、１５ｂ及び故障表示器１６ａ、１６ｂを駆動制御するための回路であり、駆動制御回路１７も電動操作機構部内に設けられる。
【００２２】
電磁リレー１４ａ、１４ｂ、１４ｃは、電動操作機構部内の電磁接触器１３Ｒ、１３Ｌと電動機１２との間に設けられ、電磁リレー１４ａは電磁接触器１３Ｒ、１３Ｌの負荷側のＵ相とＶ相との線間電圧が所定電圧以上であるとき動作するリレーであり、電磁リレー１４ｂは電磁接触器１３Ｒ、１３Ｌの負荷側のＶ相とＷ相との線間電圧が所定電圧以上であるとき動作するリレーであり、電磁リレー１４ｃは電磁接触器１３Ｒ、１３Ｌの負荷側のＷ相とＵ相との線間電圧が所定電圧以上であるとき動作するリレーである。電磁リレー１４ａ、１４ｂ、１４ｃの動作状態は、電磁接触器１３Ｒ、１３Ｌの動作状態とともに駆動制御回路１７に入力される。
【００２３】
タイマリレー１５ａ、１５ｂは、電磁接触器１３Ｒ、１３Ｌが動作しかつ電磁リレー１４ａ、１４ｂ、１４ｃのいずれかが不動作のとき所定時限後に動作するリレーである。すなわち、電磁接触器１３Ｒ、１３Ｌの負荷側のＵＶ相の線間電圧、ＶＷ相の線間電圧、ＷＵ相の線間電圧のいずれかが所定電圧以下であるときは、タイマリレー１５ａ、１５ｂは所定時限後に動作する。電磁接触器１３Ｒ、１３Ｌの接触不良であるときは、接触不良である電磁接触器１３Ｒ、１３Ｌの負荷側の線間電圧が所定電圧以下となるからである。
【００２４】
故障表示器１６ａ、１６ｂは、タイマリレー１５ａ、１５ｂが動作したとき電磁接触器１３Ｒ、１３Ｌの接触不良を表示出力する。すなわち、故障表示器１６ａは、タイマリレー１５ａが動作したとき電磁接触器１３Ｒの接触不良を表示出力し、故障表示器１６ｂは、タイマリレー１５ｂが動作したとき電磁接触器１３Ｌの接触不良を表示出力する。
【００２５】
ここで、タイマリレー１５ａ、１５ｂにより、所定時限後に電磁接触器１３Ｒ、１３Ｌの接触不良を出力するようにしたのは、駆動制御回路１７内の接点の動作のバラツキを考慮したものである。即座に電磁接触器１３Ｒ、１３Ｌの接点不良を出力すると、駆動制御回路１７内の接点の動作のバラツキにより、電磁接触器１３Ｒ、１３Ｌが正常であるのに電磁接触器１３Ｒ、１３Ｌの接触不良であると表示出力してしまうことになるので、それを避けるためである。通常、タイマリレー１５ａ、１５ｂの所定時限は、電磁接触器１３Ｒ、１３Ｌの接点が動作し電動機１２が正常に動作するまでの時間Ｔ１より短い時間が設定される。例えば、電磁接触器１３Ｒ、１３Ｌの接点が動作し電動機１２が正常に動作するまでの時間Ｔ１は７［ｓ］前後であるので、タイマリレー１５ａ、１５ｂの所定時限としてはその１／２程度の３［ｓ］前後が設定される。
【００２６】
図２は本発明の第１実施形態に係わる電磁接触器の接触不良検出装置のタイマリレー及び故障表示器の駆動制御回路１７の回路図である。タイマリレー１５ａは、電磁リレー１４ａ、１４ｂ、１４ｃのｂ接点ＵＶｂ、ＶＷｂ、ＷＵｂの並列回路に電磁接触器１３Ｒのａ接点１３Ｒａが直列接続された回路に接続される。ｂ接点ＵＶｂ、ＶＷｂ、ＷＵｂは、電磁リレー１４ａ、１４ｂ、１４ｃのｂ接点であることから、電磁接触器１３Ｒの負荷側のＵＶ相の線間電圧、ＶＷ相の線間電圧、ＷＵ相の線間電圧が正常であるときは、電磁リレー１４ａ、１４ｂ、１４ｃが動作するので開いている。従って、タイマリレー１５ａは電磁接触器１３Ｒのａ接点１３Ｒａが閉じていても動作しない。
【００２７】
タイマリレー１５ｂの場合も同様に、電磁リレー１４ａ、１４ｂ、１４ｃのｂ接点ＵＶｂ、ＶＷｂ、ＷＵｂの並列回路に電磁接触器１３Ｌのａ接点１３Ｌａが直列接続された回路に接続されるので、電磁接触器１３Ｌの負荷側のＵＶ相の線間電圧、ＶＷ相の線間電圧、ＷＵ相の線間電圧が正常であるときは、電磁リレー１４ａ、１４ｂ、１４ｃが動作するので開いている。従って、タイマリレー１５ｂは電磁接触器１３Ｌのａ接点１３Ｌａが閉じていても動作しない。
【００２８】
一方、電磁接触器１３Ｒの負荷側のＵＶ相の線間電圧、ＶＷ相の線間電圧、ＷＵ相の線間電圧のいずれか、例えば、ＵＶ相の線間電圧が所定電圧以下であるときは、ＵＶ相の電磁リレー１４ａが不動作となるので、そのｂ接点ＵＶｂが閉じる。従って、タイマリレー１５ａは電磁接触器１３Ｒのａ接点１３Ｒａが閉じていることから所定時限後に動作する。つまり、タイマリレー１５ａは、電磁接触器１３Ｒが動作し、かつ電磁接触器１３Ｒの負荷側のＵＶ相の線間電圧、ＶＷ相の線間電圧、ＷＵ相の線間電圧のいずれかが所定電圧以下であるときは所定時限後に動作する。
【００２９】
タイマリレー１５ｂについても同様に、電磁接触器１３Ｌが動作し、かつ電磁接触器１３Ｌの負荷側のＵＶ相の線間電圧、ＶＷ相の線間電圧、ＷＵ相の線間電圧のいずれかが所定電圧以下であるときは所定時限後に動作する。
【００３０】
故障表示器１６ａはタイマリレー１５ａの時限接点ＲＴａと直列接続され、タイマリレー１５ａが動作すると時限接点ＲＴａが閉となり、故障表示器１６ａは電磁接触器１３Ｒの接触不良を表示出力する。同様に、故障表示器１６ｂはタイマリレー１５ｂの時限接点ＬＴａと直列接続され、タイマリレー１５ｂが動作すると時限接点ＬＴａが閉となり、故障表示器１６ｂは電磁接触器１３Ｌの接触不良を表示出力する。
【００３１】
ここで、電磁リレー１４ａ、１４ｂ、１４ｃ、タイマリレー１５ａ、１５ｂ、故障表示器１６ａ、１６ｂ、駆動制御回路１７を電動操作機構部内に設けるにあたって、これらを一つの収納箱に収納して電動操作機構部内に設けるようにしてもよい。これにより、電動操作機構部内で電磁接触器の接触不良検出装置を容易に識別できる。
【００３２】
第１の実施の形態によれば、電磁接触器の接触不良検出装置の構成器具である電磁リレー１４ａ、１４ｂ、１４ｃ、タイマリレー１５ａ、１５ｂ、故障表示器１６ａ、１６ｂは、小型の器具であるので電動操作機構部内に収納できる。また、これらは市販の器具を用いることができるので安価に構成できる。駆動制御回路１７も接点回路で構成されるので小型で安価に構成できる。このように回路構成が簡素であり、既存の回路を変更する必要がなく後付けで設置できる。さらには、故障表示器１６ａ、１６ｂは電磁接触器１３Ｒ、１３Ｌごとに設けるので接触不良の電磁接触器１３Ｒ、１３Ｌの接触不良を容易に識別できる。電磁リレー１４ａ、１４ｂ、１４ｃ、タイマリレー１５ａ、１５ｂ、故障表示器１６ａ、１６ｂを一つの収納箱に収納した場合には、電動操作機構部内で電磁接触器の接触不良検出装置を容易に識別できる。
【００３３】
図３は本発明の第２実施の形態に係わる電磁接触器の接触不良検出装置を負荷時タップ切換変圧器のタップ切換器を駆動する電動機の電磁接触器に適用した場合の回路図、本発明の第２実施形態に係わる電磁接触器の接触不良検出装置のタイマリレー及び故障表示器の駆動制御回路の回路図である。
【００３４】
この第２実施形態は、図１及び図２に示した第１実施形態に対し、図３に示すように、図１の電磁リレー１４ａ、１４ｂ、１４ｃを負荷側電磁リレー１４ａ１、１４ｂ１、１４ｃ１とし、駆動電源（２次側配電線１１）と電磁接触器１３Ｒ、１３Ｌとの間に電磁接触器１３Ｒ、１３Ｌへの印加電圧が所定電圧以上であるときは動作する電源側電磁リレー１４ａ２、１４ｂ２、１４ｃ２を追加して設け、図４に示すように、負荷側電磁リレー１４ａ１、１４ｂ１、１４ｃ１のｂ接点ＵＶ１ｂ、ＶＷ１ｂ、ＷＵ１ｂの並列回路に、電源側電磁リレー１４ａ２、１４ｂ２、１４ｃ２のａ接点ＵＶ２ａ、ＶＷ２ａ、ＷＵ２ａを直列接続し、タイマリレー１５ａ、１５ｂは、電源側電磁リレー１４ａ２、１４ｂ２、１４ｃ２及び電磁接触器１３Ｒ、１３Ｌが動作しかつ負荷側電磁リレー１４ａ１、１４ｂ１、１４ｃ１が不動作のとき所定時限後に動作するようにしたものである。
【００３５】
これにより、電源側電磁リレー１４ａ２、１４ｂ２、１４ｃ２により電磁接触器１３Ｒ、１３Ｌに電源電圧が印加されていることを確認し電磁接触器１３Ｒ、１３Ｌの接触不良の検出を行うことになるので、電磁接触器１３Ｒ、１３Ｌの接触不良検出の精度を高めることができる。つまり、電磁接触器１３Ｒ、１３Ｌの電源側の電圧（電磁接触器１３Ｒ、１３Ｌに印加される電圧）が所定電圧以下の場合には電磁接触器１３Ｒ、１３Ｌの接触不良とは検出しないようにしたものである。
【００３６】
図３及び図４と同一要素には同一符号を付し重複する説明は省略する。図３において、電源側電磁リレー１４ａ２、１４ｂ２、１４ｃ２は、電動操作機構部内の駆動電源（２次側配電線１１）と電磁接触器１３Ｒ、１３Ｌとの間に設けられる。電磁接触器１３Ｒ、１３Ｌに電源電圧が印加されていることを確認するためである。電源側電磁リレー１４ａ２は電磁接触器１３Ｒ、１３Ｌの負荷側のＵ相とＶ相との線間電圧が所定電圧以上であるとき動作するリレーであり、電源側電磁リレー１４ｂ２は電磁接触器１３Ｒ、１３Ｌの負荷側のＶ相とＷ相との線間電圧が所定電圧以上であるとき動作するリレーであり、電源側電磁リレー１４ｃ２は電磁接触器１３Ｒ、１３Ｌの負荷側のＷ相とＵ相との線間電圧が所定電圧以上であるとき動作するリレーである。電源側電磁リレー１４ａ２、１４ｂ２、１４ｃ２の動作状態は、電磁接触器１３Ｒ、１３Ｌの動作状態とともに駆動制御回路１７に入力される。負荷側電磁リレー１４ａ１、１４ｂ１、１４ｃ１は、図１の電磁リレー１４ａ、１４ｂ、１４ｃと同じであり、負荷側電磁リレー１４ａ１、１４ｂ１、１４ｃ１の動作状態も駆動制御回路１７に入力される。
【００３７】
図４は本発明の第２実施形態に係わる電磁接触器の接触不良検出装置のタイマリレー及び故障表示器の駆動制御回路１７の回路図である。タイマリレー１５ａは、負荷側電磁リレー１４ａ１、１４ｂ１、１４ｃ１のｂ接点ＵＶ１ｂ、ＶＷ１ｂ、ＷＵ１ｂの並列回路に、電源側電磁リレー１４ａ２、１４ｂ２、１４ｃ２のａ接点ＵＶ２ａ、ＶＷ２ａ、ＷＵ２ａの直列回路が直列接続され、さらに、電磁接触器１３Ｒのａ接点１３Ｒａが直列接続された回路に接続される。ｂ接点ＵＶ１ｂ、ＶＷ１ｂ、ＷＵ１ｂは、負荷側電磁リレー１４ａ１、１４ｂ１、１４ｃ１のｂ接点であることから、電磁接触器１３Ｒの負荷側のＵＶ相の線間電圧、ＶＷ相の線間電圧、ＷＵ相の線間電圧が正常であるときは、負荷側電磁リレー１４ａ１、１４ｂ１、１４ｃ１が動作するので開いている。ａ接点ＵＶ２ａ、ＶＷ２ａ、ＷＵ２ａは、電源側電磁リレー１４ａ２、１４ｂ２、１４ｃ２のａ接点であることから、電磁接触器１３Ｒの電源側のＵＶ相の線間電圧、ＶＷ相の線間電圧、ＷＵ相の線間電圧が正常であるときは、電源側電磁リレー１４ａ２、１４ｂ２、１４ｃ２が動作するので閉じている。
【００３８】
従って、タイマリレー１５ａは、電磁接触器１３Ｒの負荷側のＵＶ相の線間電圧、ＶＷ相の線間電圧、ＷＵ相の線間電圧が正常であるときは、負荷側電磁リレー１４ａ１、１４ｂ１、１４ｃ１のｂ接点ＵＶ１ｂ、ＶＷ１ｂ、ＷＵ１ｂが開いているので、電源側電磁リレー１４ａ２、１４ｂ２、１４ｃ２のａ接点ＵＶ２ａ、ＶＷ２ａ、ＷＵ２ａ及び電磁接触器１３Ｒのａ接点１３Ｒａが閉じていても動作しない。一方、電磁接触器１３Ｒの負荷側のＵＶ相の線間電圧、ＶＷ相の線間電圧、ＷＵ相の線間電圧が所定電圧以下であるときは、負荷側電磁リレー１４ａ１、１４ｂ１、１４ｃ１のｂ接点ＵＶ１ｂ、ＶＷ１ｂ、ＷＵ１ｂのいずれかが閉じるので、タイマリレー１５ａは動作する。
【００３９】
タイマリレー１５ｂの場合も同様に、電磁接触器１３Ｌの電磁接触器１３Ｌの負荷側のＵＶ相の線間電圧、ＶＷ相の線間電圧、ＷＵ相の線間電圧が正常であるときは、負荷側電磁リレー１４ａ１、１４ｂ１、１４ｃ１のｂ接点ＵＶ１ｂ、ＶＷ１ｂ、ＷＵ１ｂが開いているので、電源側電磁リレー１４ａ２、１４ｂ２、１４ｃ２のａ接点ＵＶ２ａ、ＶＷ２ａ、ＷＵ２ａ及び電磁接触器１３Ｌのａ接点１３Ｌａが閉じていても動作しない。一方、電磁接触器１３Ｌの負荷側のＵＶ相の線間電圧、ＶＷ相の線間電圧、ＷＵ相の線間電圧が所定電圧以下であるときは、負荷側電磁リレー１４ａ１、１４ｂ１、１４ｃ１のｂ接点ＵＶ１ｂ、ＶＷ１ｂ、ＷＵ１ｂのいずれかが閉じるので、タイマリレー１５ｂは動作する。つまり、電磁接触器１３Ｒ、１３Ｌの負荷側の電圧が正常であるときは電磁接触器１３Ｒ、１３Ｌの接触不良であるとの検出をしない。
【００４０】
次に、電磁接触器１３Ｒ、１３Ｌの電源側のＵＶ相の線間電圧、ＶＷ相の線間電圧、ＷＵ相の線間電圧のいずれかが所定電圧以下であるときは、電源側電磁リレー１４ａ２、１４ｂ２、１４ｃ２のａ接点ＵＶ２ａ、ＶＷ２ａ、ＷＵ２ａのいずれかが開いている。従って、タイマリレー１５ａ、１５ｂは動作しない。つまり、電磁接触器１３Ｒ、１３Ｌの電源側の電圧が所定電圧以下であるときは電磁接触器１３Ｒ、１３Ｌの接触不良であるとの検出をしない。
【００４１】
このように、タイマリレー１５ａ、１５ｂは、電源側電磁リレー１４ａ２、１４ｂ２、１４ｃ２及び電磁接触器１３Ｒ、１３Ｌが動作し、かつ負荷側電磁リレー１４ａ１、１４ｂ１、１４ｃ１が不動作のとき所定時限後に動作する。従って、電源側電磁リレー１４ａ２、１４ｂ２、１４ｃ２により電磁接触器１３Ｒ、１３Ｌに電源電圧が印加されていることを確認し、電磁接触器１３Ｒ、１３Ｌの接触不良の検出を行うことになるので、電磁接触器１３Ｒ、１３Ｌの接触不良検出の精度を高めることができる。
【００４２】
ここで、負荷側電磁リレー１４ａ１、１４ｂ１、１４ｃ１、電源側電磁リレー１４ａ２、１４ｂ２、１４ｃ２、タイマリレー１５ａ、１５ｂ、故障表示器１６ａ、１６ｂ、駆動制御回路１７を電動操作機構部内に設けるにあたって、第１実施形態の場合と同様に、これらを一つの収納箱に収納して電動操作機構部内に設けるようにしてもよい。これにより、電動操作機構部内で電磁接触器の接触不良検出装置を容易に識別できる。
【００４３】
第２の実施形態によれば、第１の実施形態の効果に加え、電源側電磁リレーを設け電磁接触器に電源電圧が印加されていることを確認し電磁接触器の接触不良の検出を行うので、電磁接触器１３Ｒ、１３Ｌに印加される電圧が所定電圧以下の場合には電磁接触器１３Ｒ、１３Ｌの接触不良とは検出しないことから、電磁接触器１３Ｒ、１３Ｌの接触不良検出の精度を高めることができる。
【００４４】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１１…２次側配電線
１２…電動機
１３…電磁接触器
１４…電磁リレー
１５…タイマリレー
１６…故障表示器
１７…駆動制御回路
【図１】
2018190907.tif 000003
【図２】
2018190907.tif 000004
【図３】
2018190907.tif 000005
【図４】
2018190907.tif 000006